(57)【特許請求の範囲】
【請求項１】
透明性を有するプラスチックシートを屈曲することにより、底壁部（８）と該底壁部（８）から上方に延設された一対の被覆部（１２ａ），（１２ｂ）が形成され、底壁部（８）と被覆部（１２ａ），（１２ｂ）で形成される両側が開口された収容部（４）が形成された包装ケース（２）の該収容部（４）に被包装物（１０）が、被覆部（１２ａ），（１２ｂ）を通して透視可能に収容された包装体において、前記各被覆部（１２ａ），（１２ｂ）の先端には、互いに接近させる方向に曲げられた天壁部（７ａ），（７ｂ）と、該天壁部（７ａ），（７ｂ）の上端から上方に延設され、互いに非接着の弾性部（１４ｂ），（９ｂ）を有する接続部（１４），（９）とが設けられ、更に両方の接続部（１４），（９）は連結され、前記弾性部（１４ｂ），（９ｂ）は、天壁部（７ａ），（７ｂ）との曲げ部分と共に、被包装物（１０）の上端部を挟持できるように、前記被覆部（１２ａ），（１２ｂ）を互いに接近させる方向に付勢し、且つ天壁部（７ａ），（７ｂ）と底壁部（８）との間隔（Ｌ３）は、被包装物（１０）の上面から底面までの距離（Ｌ４）よりも小さく設定されて、被包装物（１０）が、天壁部（７ａ），（７ｂ）及び底壁部（８）により上下方向から押圧挟持されていることを特徴とする包装体。
【請求項２】
前記各被覆部（１２ａ），（１２ｂ）の間隔（Ｌ２）が、被包装物（１０）の容器本体（１１）の直径（ｄ２）よりも小さく設定されて、被包装物（１０）の容器本体（１１）が、前記各被覆部（１２ａ），（１２ｂ）により前後方向から押圧挟持されていることを特徴とする請求項１に記載の包装体。
【請求項３】
前記各天壁部（７ａ），（７ｂ）の距離（Ｌ１）が、被包装物（１０）の容器本体（１１）の上端の小径部の直径（ｄ１）よりも小さく設定されて、被包装物（１０）の容器本体（１１）の上端の小径部が、前記各天壁部（７ａ，７ｂ）及び前記各天壁部（７ａ），（７ｂ）との曲げ部分により押圧挟持されていることを特徴とする請求項１又は２に記載の包装体。
【発明の詳細な説明】
【０００１】
【発明の属する技術分野】
本発明は、例えば化粧品等の商品（被包装物）を収容して展示しながら販売し得る包装体及び包装ケースに関する。
【０００２】
【従来の技術】
従来、小型の瓶容器入りの化粧品等の商品は、販売時におけるディスプレイ性を考慮して透明のプラスチックシートを屈曲することにより形成された包装ケース内に収容されている。そして、この種の包装ケースは、図７に示す如く、前後壁５１，５２、天壁５３及び底壁５５を備え且つ両側が開口された収容部５６を有するものである。
【０００３】
【発明が解決しようとする課題】
前記従来の包装ケースは、その両側が開口されているため、商品５７が包装ケースで包装されてなる包装体を取り扱う場合（輸送時等）に、商品５７が包装ケースから容易に飛び出したり、脱落したりするおそれがある。従って、包装ケースから商品５７が不用意に飛び出したり、あるいは、脱落したりするのを防止する必要がある。
【０００４】
また、商品５７を包装ケースで包装する作業は、迅速に行えるのが好ましいのであるが、従来では例えば、商品５７を被覆すべくシートを屈曲した後に、シートの適宜箇所を接着する構成であったため、商品５７を容易且つ迅速に包装できないという欠点があった。
【０００５】
本発明は、上記従来の問題点に鑑みてなされたもので、スリーブ状の包装ケースから被包装物が不用意に飛び出したり、あるいは、脱落したりするのを防止すると共に、シートを破断することなく商品をスムーズ且つ確実に包装ケースに入れて包装できるようにすることを課題とする。
【０００６】
【課題を解決するための手段】
本発明は、上記課題を解決するために包装体としてなされたものである。包装体としての特徴は、透明性を有するプラスチックシートを屈曲することにより、底壁部（８）と該底壁部（８）から上方に延設された一対の被覆部（１２ａ），（１２ｂ）が形成され、底壁部（８）と被覆部（１２ａ），（１２ｂ）で形成される両側が開口された収容部（４）が形成された包装ケース（２）の該収容部（４）に被包装物（１０）が、被覆部（１２ａ），（１２ｂ）を通して透視可能に収容された包装体において、前記各被覆部（１２ａ），（１２ｂ）の先端には、互いに接近させる方向に曲げられた天壁部（７ａ），（７ｂ）と、該天壁部（７ａ），（７ｂ）の上端から上方に延設され、互いに非接着の弾性部（１４ｂ），（９ｂ）を有する接続部（１４），（９）とが設けられ、更に両方の接続部（１４），（９）は連結され、前記弾性部（１４ｂ），（９ｂ）は、天壁部（７ａ），（７ｂ）との曲げ部分と共に、被包装物（１０）の上端部を挟持できるように、前記被覆部（１２ａ），（１２ｂ）を互いに接近させる方向に付勢し、且つ天壁部（７ａ），（７ｂ）と底壁部（８）との間隔（Ｌ３）は、被包装物（１０）の上面から底面までの距離（Ｌ４）よりも小さく設定されて、被包装物（１０）が、天壁部（７ａ），（７ｂ）及び底壁部（８）により上下方向から押圧挟持されていることにある。
【０００７】
そして、被包装物１０を包装ケース２で包装する際には、両方の弾性部１４ｂ，９ｂを弾性力に抗して離間させることができるため、被包装物１０を収容部４に収容することができる。
このとき、両方の弾性部１４ｂ，９ｂは、弾性力により被覆部１２ａ，１２ｂを互いに接近させようとするため、両方の被覆部１２ａ，１２ｂは被包装物１０の上部を挟持することとなり、被包装物１０は包装ケースから不用意に飛び出したり、脱落したりするおそれはない。
【０００８】
また、包装ケースとしての特徴は、透明性を有するシートを屈曲することにより、底壁部８と該底壁部８から上方に延設された一対の被覆部１２ａ，１２ｂとから両側が開口された収容部４が形成された包装ケースにおいて、前記各被覆部１２ａ，１２ｂの上端には、各被覆部１２ａ，１２ｂに延設された互いに非接着の弾性部１４ｂ，９ｂを有する接続部１４，９がそれぞれ設けられ、更に両方の接続部１４，９は連結され、両方の弾性部１４ｂ，９ｂは、被包装物１０を前記収容部４に収容した際に、前記被覆部１２ａ，１２ｂを互いに接近させる方向に付勢する構成である。
【０００９】
そして、かかる包装ケースは、収容部４に被包装物１０を収容した際に、両方の弾性部１４ｂ，９ｂの弾性力により、被包装物１０の上部を挟持して保持することができる。
また、弾性部１４ｂ，９ｂを弾性力に抗して離間させることができるため、仮に被包装物１０の上部の径が若干相違する場合であっても、弾性部１４ｂ，９ｂがその相違分を吸収することができる。
【００１０】
【発明の実施の形態】
以下、本発明の実施の形態について図面を参酌しつつ説明する。
図１〜図５は本発明の第一実施の形態を示し、本実施形態における包装体は、一枚の帯状の透明なプラスチックシート３から構成された包装ケース２と、該ケース２内に収容される被包装物としての容器１０とからなる。
尚、ここで、プラスチックシート３の透明とは、容器１０を透視可能な程度の半透明も含む。プラスチックシート３としては、例えば、厚さ０．１〜０．５ｍｍのポリエステルやポリプロピレン、ポリ塩化ビニル製のシートが使用できる。
【００１１】
前記包装ケース２は、容器１０が収容可能な収容部４を備えるように、底壁部８と、該底壁部８から上方に延設された一対の被覆部１２ａ，１２ｂとから主構成されている。一方の被覆部１２ａは、前壁部５と、該前壁部５の上端から延設された前天壁部７ａとからなり、該前天壁部７ａの先端には、吊下孔９ａを有する接続部としての吊下部９が上方に延設されている。
前記他方の被覆部１２ｂは、後壁部６と、該後壁部６の上端から延設された後天壁部７ｂとからなり、該後天壁部７ｂの先端には、接続部１４が上方に延設されている。
【００１２】
ここで、前記プラスチックシート３は、図５に示す如く、一方側から吊下部９、前天壁部７ａ、前壁部５、底壁部８、後壁部６、後天壁部７ｂ及び接続部１４が、順次折り曲げ罫線が施された折り目ａ，ｂ，ｃ，ｄ，ｅ，ｆを介して区画されている。そして、前記接続部１４が、例えばホットメルト等の接着剤や熱融着等で前記吊下部９の裏面に接着されている。接続部１４の接着部分１４ａ（図５にドットで示す部分）は、接続部１４の一方側（上端側）に設けられ、他方側（前壁部７ｂ側）には接着されない非接着部（弾性部）１４ｂが設けられている。
【００１３】
一方、吊下部９は、前記接続部１４の接着部分１４ａが対応する接着部分９ａが設けられ、該接着部分９ａと前記前天壁部７ａとの間には、非接着の弾性部９ｂが設けられている。
【００１４】
また、前後壁部５，６と前後天壁部７ａ，７ｂの屈曲部には、開口１５、１６がそれぞれ形成されている。かかる開口１５、１６は前記折り目ｂ及び折り目ｅを両端とする切込み２０，２１を形成することにより設けられている。
【００１５】
前記容器１０は、例えば化粧液が充填された容器本体１１と、該容器本体１１の口部に着脱自在に螺合されたキャップ１３とからなる。キャップ１３は例えば円錐台状を呈している。そして、図４に示す如く、前記接続部１４の全面が吊下部９に接触した状態（両方の弾性部９ｂ，１４ｂの全面が接触した状態）での両方の天壁部７ａ，７ｂの距離Ｌ１は、キャップ１３の上端の小径部の直径ｄ１よりも若干小さく設定されている。
【００１６】
また、容器本体１１の最も大径となる直径ｄ２は、前記前後壁部５，６の間隔Ｌ２と等しいか、または、若干大きく設定されている。しかも、前後天壁部７ａ，７ｂと底壁部８との間隔Ｌ３は、キャップ１３の上面から容器本体１１の底面までの距離Ｌ４と等しいか、または、若干小さく設定されている。
【００１７】
上記構成からなる包装体は、容器１０をケース２の収容部４の一方側の開口から内部に嵌入する。このとき、前後天壁部７ａ，７ｂの距離Ｌ１は、キャップ１３の上端の小径部の直径ｄ１よりも若干小さく設定されていることから、キャップ１３は、前後天壁部７ａ，７ｂを離間させようとする。
【００１８】
このとき、接続部１４の弾性部１４ｂ及び吊下部９の弾性部９ｂは、弾性力に抗して湾曲しながら拡がる。従って、弾性部９ｂ，１４ｂは板バネの機能を発揮して前後天壁部７ａ，７ｂを互いに接近させる方向に付勢することにより、該天壁部７ａ，７ｂと前後壁部５，６との屈曲部分でキャップ１３の上部を挟持する。しかも、前記キャップ１３の上縁部が、開口１５，１６に係合するため、キャップ１３は、左右方向にずれることはない。
【００１９】
また、容器本体１１の直径ｄ２は、前記前後壁部５，６の間隔Ｌ２と等しいか、または、若干大きく設定されていることから、容器本体１１は前後方向にずれるおそれもない。
【００２０】
更に、前後天壁部７ａ，７ｂと底壁部８との間隔Ｌ３は、キャップ１３の上面から容器本体１１の底面までの距離Ｌ４と等しいか、または、若干小さく設定されていることから、容器１０は前後天壁部７ａ，７ｂと底壁部８とから上下方向から押圧され、不用意に開口から脱落するおそれもなく、安定性が良く容器１０は包装ケース２により確実に保持される。
【００２１】
また、反対に、容器１０を包装ケース２から取り出す場合には、前記弾性部９ｂ，１４ｂを弾性力に抗して拡げながら容器１０を包装ケース２から取り出すことができる。
【００２２】
本発明は、上記のそれぞの実施の形態に限定されるものではなく、キャップ１３及び容器本体１１の形状は、任意に設定できる。キャップ１３及び容器本体１１の直径とは、断面形状が円形である場合に限らず、楕円形や矩形状の任意の形状を含む概念である。
前記前後天壁部と前後壁部とは必ずしも折り目を設けて区画する必要はなく、例えば、図６に示す如くキャップ１３の上面が球面状を有する場合には、天壁部と前後壁部とは、連続する湾曲状に連続させるようにしても良い。
【００２３】
また、接続部として吊下部９を例示したが、吊り下げ機能は必ずしも設ける必要はなく、接続部を両側から合掌貼りさせる構成であっても良い。しかも、両方の接続部は、連続するシートを屈曲することにより形成しても良い。
【発明の効果】
以上のように本発明の包装体の各被覆部の先端には、互いに接近させる方向に曲げられた天壁部と、該天壁部の上端から上方に延設され、互いに非接着の弾性部を有する接続部とが設けられ、更に両方の接続部は連結され、前記弾性部は、天壁部との曲げ部分と共に、被包装物の上端部を挟持できるように、前記被覆部を互いに接近させる方向に付勢し、且つ被包装物を天壁部と底壁部とで押圧挟持できるように、被包装物の上面から底面までの距離に対して、天壁部と底壁部との間隔を小さく設定しているので、両方の弾性部と、天壁部との曲げ部分とによる弾性力、及び、天壁部と底壁部による上下方向からの押圧を利用して被包装物を不用意に飛び出したり、脱落したりすることなく、包装ケースで保持することができる。
【００２４】
また、両方の弾性部を互い拡げて離間させることにより、被包装物を包装ケースにスムーズ且つ容易に収容することができる。
しかも、両方の弾性部は離間させることができることから、被包装物の上部の寸法が若干相違する場合であっても、被包装物の寸法の差（サイズの差）を弾性部で吸収することができ、包装に際して支障となることはない。
【図面の簡単な説明】
【図１】本発明の第一実施の形態を示す包装体の斜視図。
【図２】同包装体の要部を示す断面側面図。
【図３】同包装体の全体側面図。
【図４】（ａ）は包装ケースの側面図、（ｂ）は容器の側面図
【図５】同包装ケースの展開平面図。
【図６】本発明の第二実施の形態の包装体の要部断面図。
【図７】従来例を示す包装体の斜視図。
【符号の説明】
２…包装ケース、５…前壁部、６…後壁部、７…天壁部、８…底壁部、９ｂ…弾性部、１０…容器（被包装物）、１２ａ，１２ｂ…被覆部、１４ｂ…弾性部、Ｌ１…天壁部の距離、ｄ１…被包装物の上端部の直径
【図１】
0004135834.tif 000002
【図２】
0004135834.tif 000003
【図３】
0004135834.tif 000004
【図４】
0004135834.tif 000005
【図５】
0004135834.tif 000006
【図６】
0004135834.tif 000007
【図７】
0004135834.tif 000008